(57)【特許請求の範囲】
【請求項１】
次の（１）から（８）の構成を具えた足マッサージ機。
（１）施療部位の足首の前に配置された１個の施療子及び足首の後においてこれに対向する位置に配置された２個の施療子を先端部に取り付けた一対のアーム。
（２）両足を載せる一対の載置板と該載置板を支持する筐体。
（３）両足を載せる一対の載置板の中間位置に設けられた減速機構を内蔵した駆動源。
（４）足を載せる載置板の下方に回動自在に設けられ，前記駆動源と連動する断面が楕円形の形状を有する駆動カム。
（５）該駆動カムの回転面に圧接され該駆動カムに連動する従動子。
（６）該従動子が下方先端部に固着された一対のアーム。
（７）足を載せる載置板の側面に設けられた前記アームを軸支する支点。
（８）駆動カムの回転面に従動子を圧接する弾圧手段としてのスプリング。
【請求項２】
次の（１）から（９）の構成を具えた足マッサージ機。
（１）施療部位の足首の前に配置された１個の施療子及び足首の後においてこれに対向する位置に配置された２個の施療子を先端部に取り付けた一対のアーム。
（２）両足を載せる一対の載置板と該載置板を支持する筐体。
（３）両足を載せる一対の載置板の中間位置に設けられた減速機構を内蔵した駆動源。
（４）足を載せる載置板の下方に回動自在に設けられ，前記駆動源と連動する断面が楕円形の形状を有する駆動カム。
（５）該駆動カムの回転面に圧接され該駆動カムに連動する従動子。
（６）該従動子が下方先端部に固着された一対のアーム。
（７）足を載せる載置板の側面に設けられた前記アームを軸支する支点。
（８）駆動カムの回転面に従動子を圧接する弾圧手段としてのスプリング。
（９）前記駆動カムの回転面に接する従動子と連結され，施療部位の足裏に対向する位置に設けられた施療子群。
【発明の詳細な説明】
【０００１】
【産業上の利用分野】
本発明は，施療部位の足首の前後と足裏とに刺激を与えてマッサージ運動を行う足マッサージ機に関するものである。
【０００２】
【従来の技術】
足に押圧刺激を与えてマッサージ運動を行うマッサージ機としては，回転運動や振動を利用する方法など様々な方法が提案されているが，いずれも足首の前側又は後側あるいは足裏など施療部位の一部分に対して刺激を与えるものが一般的であった。
【０００３】
また，駆動源を複数要し，その構造も複雑なものが多い。
【０００４】
【発明が解決しようとする課題】
本発明は，足首の前側及び後側を同時に押圧作動により刺激するとともに，該刺激と交互に足裏にも効果的な刺激を与える足マッサージ機の提供を目的とするものである。
【０００５】
また，駆動源が単一でも足りるように構成するとともに，施療子に前後運動や上下運動を与える手段として比較的簡単な構造の足マッサージ機の提供を目的とするものである。
【０００６】
【課題を解決するための手段】
請求項１による場合，施療部位１の足首の前後においてそれぞれ対向する位置に配置された施療子２，２と該施療子２を先端部に取り付けた一対のアーム３を備え，施療部位１の足首の前後において配置された一対の該アーム３が施療部位１の足首の前後方向に相互に前後運動をすることにより，施療部位１の足首の前後を該施療子２，２が押圧作動によるマッサージ運動を行う。
【０００７】
施療部位１の足を載せる載置板５の下方に，断面が楕円形の形状を有し回動自在に設けられた駆動カム８を備え，該駆動カム８の回転運動がアーム３，３に連動して，アーム３，３に前後運動を与える。
【０００８】
被施療者は椅子に座り，一対の載置板に両足を載せて使用する。
【０００９】
請求項２による場合，施療部位１の足首の前後においてそれぞれ対向する位置に配置された施療子２，２と該施療子２を先端部に取り付けた一対のアーム３を備え，施療部位１の足首の前後において配置された一対の該アーム３が施療部位１の足首の前後方向に相互に前後運動をすることにより，施療部位１の足首の前後を該施療子２，２が押圧作動によるマッサージ運動を行うとともに，施療部位１の足裏に対向する位置に施療子群１４を備え，該施療子群１４が施療部位１の足裏に対して上下方向に運動することにより施療部位１の足裏に対して押圧作動によるマッサージ運動を行う。
【００１０】
施療部位１の足を載せる載置板５の下方に，断面が楕円形の形状を有し回動自在に設けられた駆動カム８を備え，該駆動カム８の回転運動がアーム３，３に連動して，アーム３，３に前後運動を与えるとともに，施療子群１４にも上下運動を与えることにより，施療部位１の足首や足裏に対し押圧作動によるマッサージ運動を行う。
【００１１】
被施療者は椅子に座り，一対の載置板に両足を載せて使用する。
【００１２】
【作用】
両足を載せる一対の載置板５の中間位置に減速機構を内蔵した駆動源１５を設ける。該駆動源１５の回転運動は，回転軸１６を介して断面が楕円形の形状を有する駆動カム８に連動する。
【００１３】
該駆動カム８は断面が楕円形の形状を有し，内径において短径及び長径の長さの差があることから，該駆動カム８の回転運動は，該駆動カム８の回転面に接する従動子７が取り付けられた一対のアーム３に前後運動を与える。該アーム３の上部先端部には施療子２が取り付けられているので，施療部位１の足首の前後に位置する施療子２，２は一対のアーム３の前後運動に伴い施療部位１の足首に対して押圧作動によるマッサージ運動を行う。
【００１４】
また，該駆動カム８は断面が楕円形の形状を有し，内径において短径及び長径の長さの差があることから，該駆動カム８の回転運動は，該駆動カム８の回転面に接する従動子１１と連結された施療子群１４に上下運動を与える。該施療子群１４は施療部位１の足裏に対向する位置にあることから該施療子群１４は上下運動により施療部位１の足裏に対して押圧作動によるマッサージ運動を行う。
【００１５】
【実施例】
以下，図面に示す一実施例について更に詳細に説明する。
【００１６】
施療部位１の両足を載せる一対の載置板５相互の中間位置に減速機構を内蔵した駆動源１５を設ける。該駆動源１５の回転運動は回転軸１６を介して断面が楕円形の形状を有する駆動カム８に連動する。
【００１７】
該駆動カム８は断面が楕円形の形状をしているので，内径において短径及び長径の長さの差を有している。これにより，該駆動カム８の回転運動は，該駆動カム８の回転面に接する従動子７，７が取り付けられた一対のアーム下端部３ｅに前後運動を与える。
【００１８】
従動子７は，従動部材７ａ，従動部材の支持部７ｂ，押しバネ７ｃ，ケース７ｄにより構成されている。ケース７ｄはアーム下端部３ｅに固着されている。
【００１９】
ケース７ｄに嵌挿された軸を有する従動部材の支持部７ｂとケース７ｄの間には押しバネ７ｃが介装され，従動部材の支持部７ｂとケース７ｄとが相互に弾発するように構成されている。これにより，押しバネ７ｃは，駆動カム８の回転運動による従動部材７ａの前後運動に対して緩衝作動する。
【００２０】
従動部材７ａの緩衝の幅は，駆動カム８の内径における短径と長径の長さの幅に対応した余裕を有しているので，従動子７，７は駆動カム８の回転運動に対し柔軟性を備え，円滑な従動運動をすることが可能になる。
【００２１】
したがって，施療部位１の足首をマッサージする一対のアーム３が前後運動をする過程において，施療子２，２の押圧作動に対する施療部位１の反発力によって一対のアーム３の前後運動が制動される場合にも，従動部材７ａは駆動カム８の回転運動に対し柔軟な従動運動をすることができるので，これによって駆動カム８の円滑な回転運動が妨げられることはない。
【００２２】
アーム３は支点４において軸支されているので，アーム下端部３ｅは該支点４を中心にして前後運動を行う。
【００２３】
支点４よりも下に位置するアーム３の下端には，支点４の位置とアーム下端部３ｅとの間の中途の位置において，スプリングの支持部材１２との間にスプリング１３が介設されている。
【００２４】
駆動カム８が回転することにより，該回転面に接する従動子７ａは，駆動カム８の断面における楕円形の短径と長径の長さの範囲内で外側に押される力を受ける。
【００２５】
支点４よりも下に位置するアーム３の下端には，支点４の位置とアーム下端部３ｅとの間の中途の位置において，スプリングの支持部材１２との間にスプリング１３が介設されていることにより，アーム下端部３ｅに固着されている従動子７ａには，駆動カム８から加えられる外側方向に対する力に抗し内側方向に作用する力が与えられる。
【００２６】
したがって，従動子７ａは，駆動カム８の回転面に圧接されて従動することから，駆動カム８の回転運動はアーム下端部３ｅに連動し，アーム３が前後運動を行う。
【００２７】
アーム３の上端部と下端部の中途においては支点４が足を載せる載置板５の側面に設けられているので，一対のアーム３は該支点４において軸支される。一対のアーム３の上端部には施療子２が取り付けられている。支点４よりも下に位置するアーム下端部３ｅが前後運動をするのに伴い支点４よりも上に位置するアーム３の上端部はアーム下端部３ｅとは逆方向に前後運動する。
【００２８】
これにより，施療部位１の足首の前後に位置する施療子２，２は相互に施療部位１の足首を挟みつけるように前後運動を行い，足首に対して押圧作動によるマッサージ運動を行う。
【００２９】
アーム３は，上部アーム３ａ，結節部３ｂ，下部アーム３ｃ，バネ３ｄ，アーム下端部３ｅにより構成されている。
【００３０】
上部アーム３ａと下部アーム３ｃとの間には結節部３ｂが設けられ，該結節部３ｂの外側にはバネ３ｄが巻着されている。
【００３１】
弾発力を有するバネ３ｄが上部アーム３ａと下部アーム３ｃの結節部３ｂの外側に巻着されていることにより，上部アーム３ａの前後運動は柔軟性を有する。
【００３２】
施療子２，２が施療部位１の足首を押圧作動する運動の過程で，施療部位１の足首側の反発力がバネ３ｄの弾発力を超える場合，一対のアーム３は結節部３ｂの位置で施療部位１の足首の反対側に復元力を有した状態で屈曲するので，該結節部３ｂ及びバネ３ｄを備えない場合に比較して，一対のアーム３による施療部位１の足首に対するマッサージ運動は更に柔軟な運動になる。
【００３３】
駆動カム８の回転による押圧作動力が増加するのに伴い，これに連動する一対のアーム３による施療部位１の足首に対する押圧作動力も増加して，上部アーム３ａが結節部３ｂの位置で施療部位１の足首の反対方向に復元力を有した状態で屈曲するので，一対のアーム３の先端部に取り付けられた施療子２を構成する施療部材２ａは，施療部位１の足首に沿いながら上方向に移動し押圧作動する。
【００３４】
従動部材７ａに接する駆動カム８の回転面が長径側から短径側に回転する場合，これにより従動部材７ａは外側の位置から内側に移動するので，支点４より上に位置する上部アーム３ａは従動部材７ａの動きとは逆に外側に移動して押圧作動力が減少するので，施療子２，２による施療部位１の足首の押圧作動力も緩和し，一対の上部アーム３ａの先端部に取り付けられた施療子２を構成する施療部材２ａは，施療部位１の足首に沿いながら下方向に移動しつつ復元運動を行う。
【００３５】
したがって，一対のアーム３の前後運動により，上部アーム３ａの先端部に取り付けられた施療子２を構成する施療部材２ａは，施療部位１の足首に沿って上下方向に移動する運動を繰り返す。
【００３６】
これにより，施療部位１の足首に沿って上下方向にローラーを押しつけるようなマッサージ運動を得ることができるので，単に施療部位１の足首を挟みつける前後運動よりも更に快適なマッサージ効果を得ることができる。
【００３７】
また，該駆動カム８は断面が楕円形の形状を有し，内径において短径及び長径の長さの差があることから，該駆動カム８の回転運動は，該駆動カム８の回転面に接する従動子１１が取り付けられた施療子群１４に上下運動を与える。
【００３８】
駆動カム８の回転面に接する従動子１１は，従動部材１１ａと従動部材の支持部材１１ｂとで構成される。
【００３９】
従動部材の支持部材１１ｂは，施療子群１４の下面に連結されているので，従動部材１１ａの上下運動に伴い施療子群１４も上下方向に運動する。
【００４０】
施療部位１の足を載せる載置板５の下面には従動子の案内筒１０が取り付けられ，従動部材１１ａ及び従動部材の支持部材１１ｂは，該従動子の案内筒１０の内部に嵌入され，該従動子の案内筒１０の内面に沿って上下運動をする構造となっている。
【００４１】
該施療子群１４は施療部位１の足裏に対向する位置にあるので，該施療子群１４は上方向への運動により施療部位１の足裏に押圧作動する。
【００４２】
該施療子群１４はゴムや合成樹脂等の弾性体の部材によって形成されていることから， 施療部位１の足裏に適度な押圧感覚のマッサージを与える。
【００４３】
該施療子群１４の上下運動は，該駆動カム８の回転運動に伴い施療子２，２による足首前後の押圧運動と交互に行われる。
【００４４】
載置板５は筐体６によって支持される。
【００４５】
【発明の効果】
本発明に係る足マッサージ機により両足の足首の前後を同時に押圧作動できるとともに，一連の動作で両足の足裏も効果的にマッサージできる。
【００４６】
また，本発明に係る足マッサージ機は，被施療者が椅子に座り一対の載置板に両足を載せて使用するものであるので，仰臥等の姿勢をとることなく楽な姿勢で快適かつ効果的なマッサージを得る事ができる。
【００４７】
本発明に係る足マッサージ機は，駆動源が単一で済み，構造も比較的簡単であるとともに駆動カムの1回転で施療部位１の足首の前後のマッサージと同足裏のマッサージを実現するので，コスト及びメンテナンスの面においても有利である。
【図面の簡単な説明】
【図１】本発明の一実施例を一部断面で示した模式断面図である。
【図２】同実施例を一部断面で示した模式正面図である。
【図３】同実施例を一部断面で示した模式背面図である。
【図４】同実施例を示した模式平面図である。
【符号の説明】
１    施療部位の足
２    施療子
２ａ    施療部材
２ｂ    施療部材支持部
３    アーム
３ａ    上部アーム
３ｂ    結節部
３ｃ    下部アーム
３ｄ    バネ
３ｅ    アーム下端部
４    支点
５    載置板
６    筐体
７    従動子
７ａ    従動部材
７ｂ    従動部材の支持部
７ｃ    押しバネ
７ｄ    ケース
８    駆動カム
９    駆動カムの支持部材
１０  従動子の案内筒
１１  従動子
１１ａ  従動部材
１１ｂ  従動部材の支持部材
１２  スプリングの支持部材
１３  スプリング
１４  施療子群
１５  減速機構内臓の駆動源
１６  駆動軸
【図１】
0004058748.tif 000002
【図２】
0004058748.tif 000003
【図３】
0004058748.tif 000004
【図４】
0004058748.tif 000005